(57)【要約】【課題】組立てを簡素化し組立て時間を短縮し、製造コストを減らす効果を得る液体化粧品容器の刷毛を提供する。【解決手段】液体化粧品容器の刷毛は、容器本体１の開口１１に塗布部材２が結合される。塗布部材２は、軟質プラスチック材料からなり、液体化粧品が流通する流路２１を有するとともに、流路２１の末端箇所に対応した箇所に塗布部２２を有し、塗布部材２の外側に外嵌されて容器本体１に接続された挟圧部材３を有する。挟圧部材３には、開口端３１から下方に向かって切り込み３２が切り込まれているため、挟圧部材３の開口端３１の箇所が弾性的に閉じる機能を得て、開口端３１の内周縁が、互いに対応した平坦状の挟圧部３３を２つ有する。容器本体１に被着された蓋体４の内周壁には、押圧部が形成され、押圧部は、挟圧部材３の開口端３１の位置に対応し、挟圧部材３の開口端３１を押圧する。【選択図】図１
0003182367.tif 000002
【実用新案登録請求の範囲】
【請求項１】
容器本体の開口に塗布部材が結合され、
前記塗布部材は、軟質プラスチック材料からなり、液体化粧品が流通する流路を有するとともに、前記流路の末端箇所に対応した箇所に塗布部を有し、前記塗布部材の外側に外嵌されて前記容器本体に接続された挟圧部材を有し、
前記挟圧部材には、開口端から下方に向かって切り込みが切り込まれているため、前記挟圧部材の前記開口端の箇所が弾性的に閉じる機能を得て、前記開口端の内周縁が、互いに対応した平坦状の挟圧部を２つ有し、
前記容器本体に被着された蓋体の内周壁には、押圧部が形成され、前記押圧部は、前記挟圧部材の前記開口端の位置に対応し、前記挟圧部材の前記開口端を押圧することを特徴とする、
液体化粧品容器の刷毛。
【請求項２】
前記塗布部材の前記塗布部は、シリコーンゲルからなるとともに斜めに形成されることを特徴とする、請求項１に記載の液体化粧品容器の刷毛。
【請求項３】
前記塗布部材の外周壁には、前記挟圧部材の前記挟圧部が対応して嵌合可能なように、前記塗布部の下方に設けられた係合溝を有することを特徴とする、請求項１に記載の液体化粧品容器の刷毛。
【考案の詳細な説明】
【技術分野】
【０００１】
本考案は、液体化粧品容器の刷毛に関し、特に、蓋体の内壁面の押圧部により弾性的に閉じることが可能な挟圧部材を閉合状態にし、塗布部材の流路を封止することにより、容器本体内の液体化粧品が外部に流出することを防ぐことができる上、部品の組立てを簡素化し、組立時間を短縮し、製造コストを減らす効果を有する液体化粧品容器の刷毛に関する。
【背景技術】
【０００２】
図７を参照する。図７に示すように、従来の液状口紅容器７の構造は、液状口紅を収容する中空瓶体７１と、瓶口の周壁に設けられた雄ネジ部７１１と、を有する。
瓶口に栓７２が固設され、栓７２の中心部に係入孔７２１が設けられ、係入孔７２１の底端に封止端７２２が設けられる。この封止端７２２には、瓶体７１から液状口紅を流出させる透孔７２３が設けられ、係入孔７２１にフローティングプラグ７３が着脱自在に嵌合される。このフローティングプラグ７３の底部には液圧室７３１が形成されるとともに、液状口紅が流通するフローティングプラグ７３の中心部に穿孔７３２が設けられ、フローティングプラグ７３が接合スリーブ７４の貫通孔７４１に嵌合されると、この接合スリーブ７４の貫通孔７４１に口紅塗布部材７５が取り付けられ、接合スリーブ７４に蓋体７６が外嵌されるとともに、この蓋体７６内壁に雌ネジ部７６１が形成されている。
この構造により、蓋体７６が瓶体７１に螺接され、蓋体７６により押下されて接合スリーブ７４が下方へ変位すると、接合スリーブ７４がフローティングプラグ７３により押圧され、フローティングプラグ７３の穿孔７３２と栓７２の封止端７２２とが接触されて液状口紅が瓶体７１から流出する流路が塞がれ、穿孔７３２を介して液状口紅が外部へ漏れ出ることを防ぐ。
【０００３】
しかし、上述の化粧用ペン構造の組立は、工程が非常に複雑な上、時間及び労力が多くかかり、部品の製造コスト及び組立てにかかるコストが多くかかるため、産業競争力が低かった。
【考案の概要】
【考案が解決しようとする課題】
【０００４】
本考案の目的は、組立てを簡素化し、組立て時間を短縮し、製造コストを減らす効果を得る液体化粧品容器の刷毛を提供することにある。
【課題を解決するための手段】
【０００５】
上記課題を解決するために、本考案の第１の形態によれば、容器本体の開口に塗布部材が結合され、前記塗布部材は、軟質プラスチック材料からなり、液体化粧品が流通する流路を有するとともに、前記流路の末端箇所に対応した箇所に塗布部を有し、前記塗布部材の外側に外嵌されて前記容器本体に接続された挟圧部材を有し、前記挟圧部材には、開口端から下方に向かって切り込みが切り込まれているため、前記挟圧部材の前記開口端の箇所が弾性的に閉じる機能を得て、前記開口端の内周縁が、互いに対応した平坦状の挟圧部を２つ有し、前記容器本体に被着された蓋体の内周壁には、押圧部が形成され、前記押圧部は、前記挟圧部材の前記開口端の位置に対応し、前記挟圧部材の前記開口端を押圧することを特徴とする液体化粧品容器の刷毛が提供される。
【０００６】
また、前記塗布部材の前記塗布部は、シリコーンゲルからなるとともに斜めに形成されることが好ましい。
【０００７】
また、前記塗布部材の外周壁には、前記挟圧部材の前記挟圧部が対応して嵌合可能なように、前記塗布部の下方に設けられた係合溝を有することが好ましい。
【考案の効果】
【０００８】
本考案の液体化粧品容器の刷毛は、以下（１）及び（２）の効果を有する。
（１）容器本体上へ蓋体を被着させたり、容器本体から取り外したりすることにより、容器本体内の液体化粧品からの流出を制御することができるため、利便性が非常に高い上、容易に使用することができる。
（２）塗布部材及び挟圧部材だけで構成されている上、蓋体を被着することにより容器本体内の液体化粧品の流出を制御することができるため、全体の構造上、構成部材が少ない。そのため組立てが容易で、組立てにかかる時間を短縮し、製造コストを減らすことができる。
【図面の簡単な説明】
【０００９】
【図１】本考案の第１実施形態に係る液体化粧品容器の刷毛を示す斜視図である。
【図２】本考案の第１実施形態に係る液体化粧品容器の刷毛の蓋体が容器本体に被着されていないときの状態を示す断面図である。
【図３】本考案の第１実施形態に係る液体化粧品容器の刷毛の蓋体が容器本体に被着されたときの状態を示す断面図である。
【図４】本考案の第１実施形態に係る液体化粧品容器の刷毛の蓋体が容器本体に被着されたときの状態を示す斜視図である。
【図５】本考案の第２実施形態に係る液体化粧品容器の刷毛を示す断面図である。
【図６】本考案の第３実施形態に係る液体化粧品容器の刷毛を示す斜視図である。
【図７】従来技術の断面図である。
【考案を実施するための形態】
【００１０】
以下、本考案の実施形態について図に基づいて説明する。なお、これによって本考案が限定されるものではない。
【実施例１】
【００１１】
図１を参照する。図１は、本考案の第１実施形態に係る液体化粧品容器の刷毛を示す斜視図である。
本考案の第１実施形態に係る液体化粧品容器は、内部が中空状を呈した容器本体１を有する。その中空状内部には、液体化粧品が収容され、容器本体１の開口１１の箇所に塗布部材２が結合される。この塗布部材２は、軟質プラスチック材料（例えば、シリコーンゲル）からなり、ユーザがこの塗布部２２を唇に接触させて液体化粧品を都合良く塗布することができるように、中央部に液体化粧品を流通させる流路２１が貫通状に形成されている。
塗布部材２は、流路２１の末端箇所に対応した箇所に塗布部２２が斜めに形成されている。以下、図２及び図３を併せて参照する。塗布部材２の外周壁には、塗布部２２の下方に係合溝２３が設けられている。挟圧部材３は、塗布部材２に外嵌されて容器本体１に接続される。挟圧部材３には、開口端３１から下方に向かって互いに対応した２つの切り込み３２が切り込まれているため、挟圧部材３の開口端３１の箇所が弾性的に閉じる機能を得る。
開口端３１の互いに対応した２つの切り込み３２の内周縁は、互いに対応した平坦状の挟圧部３３を有する。平坦状の挟圧部３３は、塗布部材２の係合溝２３に合致し、対応して係合される。最終的に容器本体１の開口１１に被着される蓋体４の内周壁には、押圧部４１が形成されている。この押圧部４１は、挟圧部材３の開口端３１に対応し、開口端３１の外径より小さい内径を有し、押圧部４１により挟圧部材３の開口端３１を押圧する。
【００１２】
蓋体４が容器本体１に被着されていないとき（図２を参照）、挟圧部材３の開口端３１が蓋体４の押圧部４１により押圧されずに開いた状態となり、塗布部材２は同様に挟圧部材３の挟圧部３３により挟圧されなくなって流路２１がスムーズに流通可能な状態となり、容器本体１内の液体化粧品が流路２１から流出され、ユーザは塗布部２２を唇に接触させて液体化粧品を塗布することができる。
【００１３】
蓋体４が容器本体１に被着されると（図１、図３及び図４参照）、蓋体４の内周壁に設けられた押圧部４１は、挟圧部材３に対応した開口端３１が設けられる。押圧部４１の内径は、開口端３１の外径より小さい上、互いに対応した切り込み３２が挟圧部材３の開口端３１に設けられているため、蓋体４が容器本体１上に被着されると、蓋体４の押圧部４１が挟圧部材３の開口端３１に押圧され、挟圧部材３の開口端３１が蓋体４の押圧部４１に押圧されて閉合状態となる。
挟圧部材３の開口端３１が閉じた状態は、挟圧部材３の開口端３１に設けられた挟圧部３３により塗布部材２が挟圧され、塗布部材２が挟圧部材３の挟圧部３３により挟圧されて流路２１が変形されると、内壁面が閉じて密着状態となり、容器本体１内の液体化粧品が流路２１から流出されなくなる。
【実施例２】
【００１４】
図５を参照する。図５に示すように、本考案の第２実施形態に係る液体化粧品容器の刷毛の塗布部材５は、第１実施形態の塗布部材２と同様に、軟質プラスチック材料（例えば、シリコーンゲル）からなり、中央部に液体化粧品を流通させる流路５１が貫通状に形成され、外周壁に係合溝５２が設けられ、第１実施形態の塗布部材２と異なり、流路５１の末端箇所に刷毛が植設されて塗布部５３が形成されている。ユーザは、この塗布部５３を用いて液体化粧品を塗布することができる。
【実施例３】
【００１５】
図６を参照する。図６に示すように、本考案の第３実施形態に係る液体化粧品容器の刷毛の塗布部材６は、第１実施形態の塗布部材２と同様に、軟質プラスチック材料（例えば、シリコーンゲル）からなり、中央部に液体化粧品を流通させる流路６１が貫通状に形成され、第１実施形態の塗布部材２と異なり、末端箇所に円球状の塗布部６２が形成されている。ユーザは、この塗布部６２を用いて液体化粧品を塗布することができる。
【００１６】
上述したことから分かるように、本考案の液体化粧品容器の刷毛は、以下（１）及び（２）の長所を有する。
（１）容器本体上へ蓋体を被着させたり、容器本体から取り外したりすることにより、容器本体内の液体化粧品からの流出を制御することができるため、非常に利便性が高くて容易に使用することができる。
（２）塗布部材及び挟圧部材だけから構成されている上、蓋体を被着することにより容器本体内の液体化粧品の流出を制御することができるため、全体の設計上、構成部材が少ない。そのため組立てが容易で、組立てにかかる時間を短縮し、製造コストを減らすことができる。
【００１７】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１８】
１      容器本体
２      塗布部材
３      挟圧部材
４      蓋体
５      塗布部材
６      塗布部材
７      液状口紅容器
１１    開口
２１    流路
２２    塗布部
２３    係合溝
３１    開口端
３２    切り込み
３３    挟圧部
４１    押圧部
５１    流路
５２    係合溝
５３    塗布部
６１    流路
６２    塗布部
７１    瓶体
７２    栓
７３    フローティングプラグ
７４    接合スリーブ
７５    口紅塗布部材
７６    蓋体
７１１  雄ネジ部
７２１  係入孔
７２２  封止端
７２３  透孔
７３１  液圧室
７３２  穿孔
７４１  貫通孔
７６１  雌ネジ部
【図１】
0003182367.tif 000003
【図２】
0003182367.tif 000004
【図３】
0003182367.tif 000005
【図４】
0003182367.tif 000006
【図５】
0003182367.tif 000007
【図６】
0003182367.tif 000008
【図７】
0003182367.tif 000009